(57)【特許請求の範囲】
【請求項１】
昇降方向に移動可能なガラスと、
該ガラスに取りつけられ、前記ガラスの昇降方向と略直交する方向に延び、少なくとも一方の端部に開口が形成されたガイドと、
駆動源によって回転駆動されるリフトアームと、
該リフトアームの先端側に回転可能に設けられ、前記ガイドに移動可能に係合するスライダとを具備し、
前記ガイドの開口から前記スライダを挿入することにより、組み付けられるウィンドウレギュレータであって、
前記スライダに前記ガイドに摺接可能な一組の平行な面を設け、
前記ガイドの開口側に、前記スライダの平行な面を前記ガイドに対向させるテーパ状の導入部を形成し、
該導入部は、開口でのガイド幅が前記スライダの回転軸と直交する面の対角線のなかで最も長い対角線の長さ以上に設定され、内側に行くに従ってガイド幅が前記スライダの一組の平行な面の間の距離より若干長い長さとなるまで徐々に狭くなることを特徴とするウィンドウレギュレータ。
【発明の詳細な説明】
【０００１】
【発明の属する技術分野】
本発明は、昇降方向に移動可能なガラスと、該ガラスに取りつけられ、前記ガラスの昇降方向と略直交する方向に延び、少なくとも一方の端部に開口が形成されたガイドと、駆動源によって回転駆動されるリフトアームと、該リフトアームの先端側に回転可能に設けられ、前記ガイドに移動可能に係合するスライダとを具備し、前記ガイドの開口から前記スライダを挿入することにより、組み付けられるウィンドウレギュレータに関する。
【０００２】
【従来の技術】
図５を用いて従来のウィンドウレギュレータの説明を行なう。
図において、モータ１によって駆動されるセクタギヤ３には、リフトアーム５が固着されている。
【０００３】
ガラス７はドアフレーム側に設けられた昇降ガイド９,１１によって、昇降方向に案内される。
ガラス７の下面には、断面形状がC字形のリフトアームブラケット(ガイド)１３が固着された断面形状がコ字形のチャンネル１５が圧入されている。
【０００４】
リフトアーム５の先端部には、リフトアームブラケット１３に移動可能に係合したスライダとしてのローラ１７が回転可能に設けられている。
上記構成の動作を説明する。
【０００５】
モータ１が駆動され、セクタギヤ３及びセクタギヤ３に固着されたリフトアーム５が回転すると、ローラ１７がリフトアームブラケット１３に沿って移動し、ガラス７は昇降ガイド９,１１に沿って昇降する。
【０００６】
上記構成のウィンドウレギュレータの組み付けを図６を用いて説明する。
組み付けは、昇降ガイド１１がない状態で行なわれる。
最初に、ドアパネルにモータ１,セクタギヤ３,リフトアーム５,ローラ１７からなる組立体を取りつける。このとき、リフトアーム５を下死点に位置させておく。
【０００７】
尚、リフトアームブラケット１３の一方の端部は、開口１４が形成されている。
次に、ガラス７,チャンネル１５,リフトアームブラケット１３からなる組立体を傾けた状態でドアパネル内へ挿入し、リフトアームブラケット１３の開口１４からローラ１７を挿入し、リフトアームブラケット１３とローラ１７との係合を行なう。
【０００８】
係合が完了したならば、図６の矢印方向にガラス７,チャンネル１５,リフトアームブラケット１３からなる組立体を移動させ、昇降ガイド１１を取りつける。
【０００９】
【発明が解決しようとする課題】
上記構成のウィンドウレギュレータでは、ローラ１７を用いているので、リフトアームブラケット１３との接触が略線接触となり、ガラス７を昇降させる場合、ローラ１７に作用する圧力が高くなる。
【００１０】
従って、ウィンドウレギュレータを長期間使用すると、ローラ１７が変形したり、摩耗したりして、ローラ１７とリフトアームブラケット１３とのガタが大きくなり、ドアを強く閉めた場合や、ガラス７を上昇から下降へ、または下降から上昇へ反転させた場合、異音が発生する問題点となっている。
【００１１】
この問題点を解消するために、ローラ１７の代わりに、リフトアームブラケット１３に対して面接触となるスライダを用いたウィンドウレギュレータが提案されている。
【００１２】
しかし、スライダが直方体である場合、ローラに比べてスライダには方向性があるので、上記組み付け方法では、スライダをリフトアームブラケット１３の開口１４から挿入ができない場合がある。
【００１３】
そこで、予め、スライダをリフトアームブラケット１３へ挿入しておき、その後、リフトアームブラケット１３とチャンネル１５とガラス７とを組み付けなければならず、組み付けの手間がかかる問題点がある。
【００１４】
本発明は、上記問題点に鑑みてなされたもので、その課題は、スライダを用いて、組み付けが容易なウィンドウレギュレータを提供することにある。
【００１５】
【課題を解決するための手段】
上記課題を解決する発明は、昇降方向に移動可能なガラスと、該ガラスに取りつけられ、前記ガラスの昇降方向と略直交する方向に延び、少なくとも一方の端部に開口が形成されたガイドと、駆動源によって回転駆動されるリフトアームと、該リフトアームの先端側に回転可能に設けられ、前記ガイドに移動可能に係合するスライダとを具備し、前記ガイドの開口から前記スライダを挿入することにより、組み付けられるウィンドウレギュレータであって、前記スライダに前記ガイドに摺接可能な一組の平行な面を設け、前記ガイドの開口側に、前記スライダの平行な面を前記ガイドに対向させるテーパ状の導入部を形成し、該導入部は、開口でのガイド幅が前記スライダの回転軸と直交する面の対角線のなかで最も長い対角線の長さ以上に設定され、内側に行くに従ってガイド幅が前記スライダの一組の平行な面の間の距離より若干長い長さとなるまで徐々に狭くなることを特徴とするウィンドウレギュレータである。
【００１６】
ガイドの開口側に、スライダの平行な面をガイドに対向させるテーパ状の導入部を形成し、該導入部は、開口でのガイド幅が前記スライダの回転軸と直交する面の対角線のなかで最も長い対角線の長さ以上に設定され、内側に行くに従ってガイド幅が前記スライダの一組の平行な面の間の距離より若干長い長さとなるまで徐々に狭くなることにより、スライダをガイドの開口より挿入し、スライダをガイドの内側へ移動させるだけで、スライダの平行な面がガイドと対向する位置となるようにスライダが転動し、組み付けが完了する。
【００１７】
従来のローラと同様な方法でウィンドウレギュレータを組み付けることができるので、組み付けが容易である。
導入部の形状は、請求項２記載のように、開口でのガイド幅が前記スライダの回転軸と直交する面の対角線のなかで最も長い対角線の長さ以上に設定され、内側に行くに従ってガイド幅が前記スライダの一組の平行な面の間の距離より若干長い長さとなるまで徐々に狭くなることが好ましい。
【００１８】
【発明の実施の形態】
先ず、本実施の形態例のウィンドウレギュレータの構成を説明するである図１及び図１の切断線A-Aにおける断面図である図２を用いて、ウィンドウレギュレータの全体構成を説明する。
【００１９】
図１において、モータ１０１によって駆動されるセクタギヤ１０３には、リフトアーム１０５が固着されている。
ガラス１０７はドアフレーム側に設けられた昇降ガイド１０９,１１１によって、昇降方向に案内される。
【００２０】
ガラス１０７の下面には、断面形状がC字形のリフトアームブラケット(ガイド)１１３が固着された断面形状がコ字形のチャンネル１１５がゴムのフィラー１１６を介して圧入されている。
【００２１】
リフトアーム１０５の先端部には、リフトアームブラケット１１３に移動可能に係合し、一組の平行な面１１７ａ,１１７ｂを有する直方体状のスライダ１１７が回転可能に設けられている。
【００２２】
リフトアームブラケット１１３の一方の端部側には、開口１２１を有する導入部１２３が形成されている。
図３に示すように、導入部１２３は、下部に斜面１２２が形成され、開口１２１のガイド幅(W1)がスライダ１１７の回転軸と直交する面の対角線のなかで最も長い対角線の長さ(Lmax)以上に設定され、内側に行くに従ってガイド幅(W)がスライダ１１７の一組の平行な面の間の距離(Lmin)より若干長い長さ(W2)となるまで徐々に狭くなるように設定されている。
【００２３】
上記構成のウィンドウレギュレータの組み付けは、図４に示すように、昇降ガイド１１１がない状態で行なわれる。
最初に、ドアパネルにモータ１０１,セクタギヤ１０３,リフトアーム１０５,スライダ１１７からなる組立体を取りつける。このとき、リフトアーム１０５を下死点に位置させておく。
【００２４】
次に、ガラス１０７,チャンネル１１５,リフトアームブラケット１１３からなる組立体を傾けた状態でドアパネル内へ挿入し、リフトアームブラケット１１３の導入部１２３の開口１２１からスライダ１１７を挿入する。
【００２５】
このとき、スライダ１１７が例えば、図３の右側に示すような状態で開口１２１へ挿入された場合、図４の矢印方向にガラス１０７,チャンネル１１５,リフトアームブラケット１１３からなる組立体を移動させると、導入部１２３内でスライダ１１７が転動し、スライダ１１７の一組の平行な面１１７ａ,１１７ｂがリフトアームブラケット１１３のガイド面１１３ａ,１１３ｂと対向する。
【００２６】
上記構成によれば、スライダとして少なくとも一組の平行な面１１７ａ,１１７ｂを有するスライダ１１７を用い、この平行な面１１７ａ,１１７ｂがリフトアームブラケット１１３のガイド面に摺接することで、ガイド面とのローラとの接触が面接触となり、スライダの変形や摩耗を減少させることができる。
【００２７】
導入部１２３の開口のガイド幅(W1)が、スライダ１１７の回転軸と直交する面の対角線のなかで最も長い対角線の長さ(Lmax)以上に設定されているので、スライダ１１７がどのような位置にあっても、スライダ１１７は開口１２１を介してリフトアームブラケット１１３へ挿入可能となる。
【００２８】
導入部１２３は、内側に行くに従ってガイド幅(W)がスライダ１１７の一組の平行な面の間の距離(Lmin)より若干長い長さ(W2)となるまで徐々に狭くなるように設定されていることにより、開口より挿入されたスライダ１１７がリフトアームブラケット１１３の内側へ移動すると、一組の平行な面１１７ａ,１１７ｂがリフトアームブラケット１１３のガイド面１１３ａ,１１３ｂと対向(接触)可能な位置となるようにスライダ１１７は転動する。
【００２９】
従って、従来のローラと同様な方法でウィンドウレギュレータを組み付けることができるので、組み付けが容易である。
尚、本発明は上記実施の形態例に限定するものではない。上記実施の形態例での導入部１２３は、リフトアームブラケット１１３の下部に斜面１２２を形成したが、上部に斜面を形成してもよいし、又、下部,上部のどちらにも斜面を形成してもよい。
【００３０】
【発明の効果】
以上述べたように本発明によれば、ガイドの開口側に、スライダの平行な面を前記ガイドに対向させるテーパ状の導入部を形成し、該導入部は、開口でのガイド幅が前記スライダの回転軸と直交する面の対角線のなかで最も長い対角線の長さ以上に設定され、内側に行くに従ってガイド幅が前記スライダの一組の平行な面の間の距離より若干長い長さとなるまで徐々に狭くなることにより、スライダをガイドの開口より挿入し、スライダをガイドの内側へ移動させるだけで、スライダの平行な面がガイドと対向する位置となるようにスライダが転動し、組み付けが完了する。
【００３１】
従来のローラと同様な方法でウィンドウレギュレータを組み付けることができるので、組み付けが容易である。
【図面の簡単な説明】
【図１】実施の形態例のウィンドウレギュレータの構成を説明する図である。
【図２】図１の切断線A-Aにおける断面図である。
【図３】図１の導入部の拡大断面図である。
【図４】実施の形態例のウィンドウレギュレータの組み付けを説明する図である。
【図５】従来のウィンドウレギュレータの構成を説明する図である。
【図６】従来のウィンドウレギュレータの組み付けを説明する図である。
【符号の説明】
１１３  リフトアームブラケット(ガイド)
１１７  スライダ
１１７ａ,１１７ｂ  辺
１２１  開口
１２３  導入部
【図１】
0003982663.tif 000002
【図２】
0003982663.tif 000003
【図３】
0003982663.tif 000004
【図４】
0003982663.tif 000005
【図５】
0003982663.tif 000006
【図６】
0003982663.tif 000007